(57)【要約】  【課題】着座者の背中を好適に支持し得る背板を有した椅子を提供する。  【解決手段】椅子Ａの背板Ｌが、前後方向に貫通した複数の孔ｐが形成された背板本体３と、この背板本体３の左右に配設された上下に延びる縦背支持部４とを備えてなる。背板本体３の横帯部分３１が、背板本体３における上下端部３３、３４を除く略全域において上下方向に複数並び配されてなるものであり、且つ、縦帯部分３２が、背板本体３における左右端部領域にのみ左右方向に複数並び配されてなるものである。【選択図】図１９
2019063177.tif 000002
【特許請求の範囲】
【請求項１】
合成樹脂により形成された背板を備えてなる椅子であって、
前記背板が、前後方向に貫通した複数の孔が形成された背板本体と、この背板本体の左右に配設された上下に延びる縦背支持部とを備えてなるものであり、
前記背板本体が、上下方向に隣接し合う孔の間に、前記縦背支持部間を繋ぎ左右方向に略直線状に延びた横帯部分を備えており、
前記背板本体が、左右方向に隣接し合う孔の間に、当該背板本体の上下端部間を繋ぐように上下方向に略直線状に延びた縦帯部分を備えており、
前記横帯部分が、前記背板本体における前記上下端部を除く略全域において上下方向に複数並び配されてなるものであり、且つ、前記縦帯部分が、前記背板本体における左右端部領域にのみ左右方向に複数並び配されてなるものである椅子。
【請求項２】
前記背板本体の中央領域に設けられた前記孔の幅寸法が、前記中央領域の外周域に位置する周縁領域に設けられた前記孔の幅寸法よりも大きく設定されている請求項１記載の椅子。
【請求項３】
前記背板本体に設けられた前記孔の大きさが、前記中央領域から前記周縁領域側に向かって、漸次小さくなるように設定されている請求項２記載の椅子。
【請求項４】
上下に最も近接して隣り合う一方の孔と他方の孔が、中心点が鉛直方向に一致しないように前記背板本体に設けられている請求項１、２又は３記載の椅子。
【請求項５】
前記背板本体が、上側に向かって漸次厚み寸法が短くなるように形成されている請求項１、２、３又は４記載の椅子。
【請求項６】
前記孔が略矩形状をなしている請求項１、２、３、４又は５記載の椅子。
【発明の詳細な説明】
【技術分野】
【０００１】
本発明は、オフィス等において好適に使用される椅子に関する。
【背景技術】
【０００２】
従来から着座者の背中を支持し得る背板を有した椅子が種々知られている（例えば、特許文献１を参照）。
【０００３】
従来の背板は、複雑な構造を反映させることによって、着座者の荷重を受けた際における弾性変形を惹起させ得るものとなっている。このため、従来の背板は、所定の強度を確保しつつ着座者の背中を好適に支持し得る設計の自由度に優れたものとは言えなかった。
【先行技術文献】
【特許文献】
【０００４】
【特許文献１】特開２００５−１６０５５８号公報
【発明の概要】
【発明が解決しようとする課題】
【０００５】
本発明は、以上のような事情に着目してなされたもので、少なくとも、着座者の背中を好適に支持し得る背板を有した椅子を提供することにある。
【課題を解決するための手段】
【０００６】
すなわち、本発明は次の構成をなしている。
【０００７】
請求項１に記載の発明は、合成樹脂により形成された背板を備えてなる椅子であって、前記背板が、前後方向に貫通した複数の孔が形成された背板本体と、この背板本体の左右に配設された上下に延びる縦背支持部とを備えてなるものであり、前記背板本体が、上下方向に隣接し合う孔の間に、前記縦背支持部間を繋ぎ左右方向に略直線状に延びた横帯部分を備えており、前記背板本体が、左右方向に隣接し合う孔の間に、当該背板本体の上下端部間を繋ぐように上下方向に略直線状に延びた縦帯部分を備えており、前記横帯部分が、前記背板本体における前記上下端部を除く略全域において上下方向に複数並び配されてなるものであり、且つ、前記縦帯部分が、前記背板本体における左右端部領域にのみ左右方向に複数並び配されてなるものである椅子である。
【０００８】
請求項２に記載の発明は、前記背板本体の中央領域に設けられた前記孔の幅寸法が、前記中央領域の外周域に位置する周縁領域に設けられた前記孔の幅寸法よりも大きく設定されている請求項１記載の椅子である。
【０００９】
請求項３に記載の発明は、前記背板本体に設けられた前記孔の大きさが、前記中央領域から前記周縁領域側に向かって、漸次小さくなるように設定されている請求項２記載の椅子である。
【００１０】
請求項４に記載の発明は、上下に最も近接して隣り合う一方の孔と他方の孔が、中心点が鉛直方向に一致しないように前記背板本体に設けられている請求項１、２又は３記載の椅子である。
【００１１】
請求項５に記載の発明は、前記背板本体が、上側に向かって漸次厚み寸法が短くなるように形成されている請求項１、２、３又は４記載の椅子である。
【００１２】
請求項６に記載の発明は、前記孔が略矩形状をなしている請求項１、２、３、４又は５記載の椅子である。
【発明の効果】
【００１３】
以上説明したように本発明によれば、着座者の背中を好適に支持し得る背板を有した椅子を提供することができる。
【図面の簡単な説明】
【００１４】
【図１】本発明の一実施形態を示す斜視図。
【図２】同実施形態における斜視図。
【図３】同実施形態における正面図。
【図４】同実施形態における背面図。
【図５】同実施形態における右側面図。
【図６】同実施形態における平面図。
【図７】同実施形態における底面図。
【図８】図３におけるＸ−Ｘ線断面図。
【図９】図８における部分拡大断面図。
【図１０】同実施形態における分解斜視図。
【図１１】同実施形態における分解斜視図。
【図１２】同実施形態における斜視図。
【図１３】同実施形態における底面図。
【図１４】同実施形態における右側面図。
【図１５】同実施形態におけるスペーサの説明用の拡大図。
【図１６】同実施形態におけるスペーサの説明用の斜視図。
【図１７】同実施形態における分解斜視図。
【図１８】同実施形態における分解斜視図。
【図１９】同実施形態における背凭れ（背板）の正面図。
【図２０】図１９におけるＹ部分拡大図。
【発明を実施するための形態】
【００１５】
以下、本発明の一実施形態を、図１〜２０を参照して説明する。
【００１６】
この実施形態は、本発明を、オフィスや会議室や教育施設等において好適に使用される椅子Ａに適用したものである。この椅子Ａは、図１４〜１６に示すように、同一形状をなす他の椅子Ａを上下方向にスタッキング可能に構成したものである。
【００１７】
椅子Ａは、支持フレームＢに座Ｅを支持させるとともに支持フレームＢに背凭れＦを支持させているものである。支持フレームＢの下端には、使用状態において支持フレームＢと床面との間に位置するスペーサたる前スペーサＣと後スペーサＤが設けられている。
【００１８】
支持フレームＢは、左右に対をなし床面と略平行に前後方向に延びてなるベースフレーム部ｇ１と、ベースフレーム部ｇ１の前端部に立設された前脚フレーム部ｇ２と、ベースフレーム部ｇ１の後端部に立設された後脚フレーム部ｇ３と、前脚フレーム部ｇ２の上端部と後脚フレーム部ｇ３の上端部間に架設された側座受フレーム部ｇ４と、側座受フレーム部ｇ４の前端部間を繋ぐ前横架フレーム部Ｈと、側座受フレーム部ｇ４の後端部間を繋ぐ横架フレーム部たる後横架フレーム部Ｉと、後脚フレーム部ｇ３の上端部から上方に延設された背支持フレーム部たる外背支持フレーム部Ｊと、側座受フレーム部ｇ４の後端部から外背支持フレーム部Ｊに沿うように上方に延設された内背支持フレーム部Ｋとを備えてなるものである。
【００１９】
外背支持フレーム部Ｊ、後脚フレーム部ｇ３、ベースフレーム部ｇ１、前脚フレーム部ｇ２、側座受フレーム部ｇ４、及び、内背支持フレーム部Ｋは、この順番で、一本の金属製パイプ材により連続して形成されている。換言すれば、支持フレームＢは、外背支持フレーム部Ｊ、後脚フレーム部ｇ３、ベースフレーム部ｇ１、前脚フレーム部ｇ２、側座受フレーム部ｇ４、及び、内背支持フレーム部Ｋを一体に設けてなるものである。
【００２０】
左右に対をなして配設された後脚フレーム部ｇ３、ベースフレーム部ｇ１、前脚フレーム部ｇ２、及び、側座受フレーム部ｇ４は、左の脚要素Ｇと右の脚要素Ｇを構成している。これら左右の脚要素Ｇ間を繋いでいる前横架フレーム部Ｈ、及び、後横架フレーム部Ｉは、金属板により形成されている。
【００２１】
ベースフレーム部ｇ１の前端部下面には、スペーサである前スペーサＣがねじｖ１により取り付けられている。ベースフレーム部ｇ１の後端部下面には、後スペーサＤがねじｖ２により取り付けられている。
【００２２】
左右に対をなして配設されている前脚フレーム部ｇ２の離間距離は、同一形状をなす他の椅子Ａとのスタッキングを可能とするために、左右に対をなして配されている後脚フレーム部ｇ３の離間距離よりも短く設定されている。前脚フレーム部ｇ２は、ベースフレーム部ｇ１の前端部から連設され正面視において内向きに傾斜して延びた下前脚フレーム部分ｇ２１と、下前脚フレーム部分ｇ２１の上端から上方に向かって略鉛直に延びた上前脚フレーム部分ｇ２２とを備えている。
【００２３】
側座受フレーム部ｇ４は、座Ｅを支持するべく座Ｅにおける側座枠部１１の下面に添接し得る形状をなしている。側座受フレーム部ｇ４は、側面視において緩やかなＳ字形状をなしている。側座受フレーム部ｇ４は、前から順に、第一の前傾フレーム部分ｇ４１、後傾フレーム部分ｇ４２、及び、第二の前傾フレーム部分ｇ４３を備えてなる。
【００２４】
第一の前傾フレーム部分ｇ４１は、座枠１における側座枠部１１の第一の前傾部分１１１の下面に添接し得るものである。後傾フレーム部分ｇ４２は、座枠１における側座枠部１１の後傾部分１１２の下面に添接し得るものである。第二の前傾フレーム部分ｇ４３は、座枠１における側座枠部１１の第二の前傾部分１１３の下面に添接し得るものである。
【００２５】
前横架フレーム部Ｈは、左右方向中間部が上向きコ字状に形成された金属板により構成されたものであり、座枠１の前座枠部１２の下面側に嵌合し当該前座枠部１２を下側から支持し得るものである。前横架フレーム部Ｈは、その左右端部近傍に座枠１を止着するためのねじｖ３が挿通し得るねじ挿通孔ｈ１を有している。前横架フレーム部Ｈの左右端は、溶接により側座受フレーム部ｇ４の前端部に取り付けられている。
【００２６】
後横架フレーム部Ｉは、座枠１の後座枠部１３を下側から支持し得るものである。後横架フレーム部Ｉは、左右の側座受フレーム部ｇ４の後端部間を繋いでいる。後横架フレーム部Ｉは、平面視又は底面視において後方に向かって凸をなすように湾曲した形状をなしている。後横架フレーム部Ｉは、上下面を有し前傾した姿勢をなす後横架フレーム部本体ｉ１と、後横架フレーム部本体ｉ１の後端縁から一体に立設された起立フレーム部分ｉ２とを備えている。
【００２７】
後横架フレーム部本体ｉ１は、その左右端部近傍に座枠１を止着するためのねじｖ４が挿通し得る上下方向に貫通したねじ挿通孔ｉ１１を有している。起立フレーム部分ｉ２は、その左右端部近傍に背板Ｌを止着するための背凭れ用止着具たるねじｖ５が挿通し得る前後方向に貫通したねじ挿通孔ｉ２２を有している。起立フレーム部分ｉ２のねじ挿通孔ｉ２２は、当該起立フレーム部分ｉ２の左右端部近傍において上向きに突出した凸部ｉ２１に設けられている。後横架フレーム部Ｉの左右端は、溶接により側座受フレーム部ｇ４の後端部に取り付けられている。
【００２８】
前スペーサＣ、及び、後スペーサＤは、座Ｅ及び背凭れＦを支持した支持フレームＢを床面に対して安定支持させるためのものである。前スペーサＣ、及び、後スペーサＤは、合成樹脂により形成されたブロック状のものである。前スペーサＣ、及び、後スペーサＤの外側面ｃ３、ｄ３は、側面視において略台形状をなし且つ面一に形成されている。前スペーサＣ、及び、後スペーサＤの最大幅寸法は、ベースフレーム部ｇ１の幅寸法よりも大きく、且つ、ベースフレーム部ｇ１の幅寸法の１．２倍以下の大きさに設定されている。
【００２９】
前スペーサＣは、使用状態において床面に当接し得る床当接面ｃ２を有している。前スペーサＣは、支持フレームＢにおけるベースフレーム部ｇ１の前部にねじｖ１により取り付けられている。前スペーサＣは、その前端部内面側に凹陥部ｃ１を有している。前スペーサＣには、上下方向に貫通したねじ挿通孔ｃ４を備えている。
【００３０】
床当接面ｃ２は、前スペーサＣの下面をなすものである。床当接面ｃ２は、後部に設けられたメイン当接面構成部ｃ２１と、メイン当接面構成部ｃ２１の前に位置し当該メイン当接面構成部ｃ２１よりも幅狭に設けられた延長当接面構成部ｃ２２とを備えている。
【００３１】
凹陥部ｃ１は、スタッキング時において他の椅子Ａにおける支持フレームＢの一部を位置させ得る収容空間ｓｐを形成したものである。凹陥部ｃ１は、側面視において前傾した凹陥部形成面ｃ１１を有している。この凹陥部形成面ｃ１１は、スタッキング時において、同一構造をなす他の椅子Ａの前脚フレーム部ｇ２における下端部の一部に当接し得るようになっている。すなわち、前スペーサＣの凹陥部ｃ１に形成された凹陥部形成面ｃ１１は、他の椅子Ａにおける前脚フレーム部ｇ２の下前脚フレーム部分ｇ２１の上面に当接し、スタッキング時における椅子Ａと他の椅子Ａとの相対位置を位置決めし得るようになっている。
【００３２】
前スペーサＣは、外側面が略長方形をなし、前端から後端まで全面が段差や凹部のない平面状をなしている。前スペーサＣは、全体形状が直方体をベースにしており、その範囲内で前端部内面側から床当接面ｃ２に至る凹陥部ｃ１を有している。しかして、同一形状をなす椅子Ａを上下方向に複数積み重ねたときに、下の椅子Ａの前脚フレーム部ｇ２が上の椅子Ａの前スペーサＣの凹陥部ｃ１に嵌合するように位置するものとなっている。前スペーサＣは、ベースフレーム部ｇ１の延伸方向に沿った直方体をなしている。つまり、前スペーサＣは、ベースフレームｇ１から外方に向けて大きく張り出したものとはなっていないため、椅子Ａ全体をコンパクトにすることができる。
【００３３】
なお、支持フレームＢの安定性（例えば、前方への傾動に対する安定性）を考慮した場合、前スペーサＣは、できるだけ支持フレームＢの前側に取り付けることが好適である。また、前スペーサＣと後スペーサＤとの間隔はできるだけ広くとることが好適である。その一方で、前スペーサＣの位置を支持フレームＢの前側に過度に及ばせようとした場合には、スタッキング状態において、下に位置する他の椅子Ａの前脚フレーム部ｇ２と干渉してしまうという不具合が生じ得る。この実施形態の前スペーサＣは、前端部内面側の一部に凹陥部ｃ１を形成することにより、かかる不具合を解消したものとなっている。
【００３４】
座Ｅは、支持フレームＢに支持されたものである。座Ｅは、略四角枠状をなす座枠１とこの座枠１内に張設された張地２とを有したものである。座枠１及び張地２は熱圧成型により一体化されている。
【００３５】
座枠１は、前後方向に延びた左右の側座枠部１１と、この左右の側座枠部１１の前端間を繋ぐ左右方向に延びた前座枠部１２と、左右の側座枠部１１の後端間を繋ぐ後座枠部１３とを備えてなるものである。
【００３６】
左右の側座枠部１１は、支持フレームＢの側座受フレーム部ｇ４によって下側から支持されるものである。左右の側座枠部１１は、側座受フレーム部ｇ４の形状に沿うように側面視において緩やかなＳ字形状をなしている。すなわち、左右の側座枠部１１は、前端部に位置してなり側面視において前傾した姿勢をなす第一の前傾部分１１１と、この第一の前傾部分１１１の後端から連設され側面視において後傾した姿勢をなす後傾部分１１２と、この後傾部分１１２の後端から連設され側面視において前傾した姿勢をなす第二の前傾部分１１３とを備えている。
【００３７】
第一の前傾部分１１１は、側座受フレーム部ｇ４の第一の前傾フレーム部分ｇ４１に下側から支持される。後傾部分１１２は、側座受フレーム部ｇ４の後傾フレーム部分ｇ４２に下側から支持される。第二の前傾部分１１３は、側座受フレーム部ｇ４の第二の前傾フレーム部分ｇ４３に下側から支持される。
【００３８】
また、図７及び図１０に示すように、左右の側座枠部１１の下面には、底面視において略矩形状をなすとともに正面視及び背面視において略Ｌ字状をなす引き寄せ部材１１ａがねじｖ６により取り付けられている。引き寄せ部材１１ａは、その外方端部が側座受フレーム部ｇ４の下面に係わり合い、ねじｖ６を左右の側座枠部１１に螺着することにより左右の側座枠部１１と側座受フレーム部ｇ４とを引き寄せるようにしてある。
【００３９】
前座枠部１２は、左右の側座枠部１１の前端間に架け渡されている。前座枠部１２は、支持フレームＢの前横架フレーム部Ｈに下側から支持される。
【００４０】
後座枠部１３は、後横架フレーム部Ｉに下側から支持されるものである。後座枠部１３は、その後端縁に下方に向けて突出させた垂下壁１３１を備えている。後座枠部１３の左右両端部には、外背支持フレーム部Ｊ、内背支持フレーム部Ｋ、及び、背板Ｌにおける左右の延出部Ｎを配設するための切欠部１３２が設けられている。
【００４１】
座Ｅは、背板Ｌを支持フレームＢの後横架フレーム部Ｉに止着する背凭れ用止着具たるねじｖ５を隠蔽し得るものとなっている。すなわち、座Ｅにおける座枠１の後座枠部１３が、背板Ｌを後横架フレーム部Ｉにねじ止めするためのねじｖ５を外部から視認し難いように覆い得るものとなっている。
【００４２】
本実施形態に示す椅子Ａは、座Ｅの一部である後座枠部１３が、背凭れＦの背板Ｌに一体に形成された突出部６の上を覆うように配されている。そして、椅子Ａは、支持フレームＢに背板Ｌを取り付けた後に、当該支持フレームＢに座Ｅを取り付けている。椅子Ａは座Ｅを外さない限り背板Ｌは外れないものとなっている。換言すれば、この実施形態における椅子Ａは、背板Ｌの一部である突出部６、及び、突出部６のねじ挿通孔６１を挿通するねじｖ５を隠蔽し得る座Ｅを備えている。しかして、座Ｅは、背板Ｌを支持フレームＢから外すことなく、座Ｅのみを独立して、支持フレームＢから無理なく離脱させることができるものとなっている。
【００４３】
張地２は、座枠１に張り設けられたシート状をなしている。張地２は可撓性を備えた織物により構成されており、それ自体では保形性を有しないものとなっている。張地２は、その周縁が座枠１に支持されている。換言すれば、張地２は、座枠１によって囲まれた領域に配設されている。
【００４４】
張地２は、前後方向の張力すなわち前座枠部１２と後座枠部１３とを相寄る方向に引っ張る力よりも左右方向の張力すなわち左右の側座枠部１１同士を相寄る方向に引っ張る力が強くなるように設定されている。より具体的に言えば、張地２は、左右方向に延びてなる複数の緯糸（図示せず）と、前後方向に延びてなり緯糸とは弾力特性が異なる複数の経糸（図示せず）を備えてなるものである。張地２は、緯糸の弾力特性が経糸の弾力特性よりも高く設定されている。
【００４５】
張地２の後部は、後方に向かって漸次上側に位置するように設定された弾性変形可能な着座面である後着座面２３を形成している。張地２における前後方向中央部は、後方に向かって漸次下側に位置するように設定された弾性変形可能な着座面である中央着座面２２を形成している。張地２における前部は、後方に向かって漸次上側に位置するように設定された弾性変形可能な前着座面２１を形成している。
【００４６】
つまり、座枠１の側座枠部１１において第一の前傾部分１１１間に支持されている張地２の前部が前着座面２１を構成しており、座枠１の側座枠部１１において後傾部分１１２間に支持されている張地２の前後方向中央が中央着座面２２を構成しており、座枠１の側座枠部１１において第二の前傾部分１１３間に支持されている張地２の後部が後着座面２３を構成している。なお、図９においては、張地２の断面を把握しやすいように太線で示している。
【００４７】
この実施形態における座枠１に支持された張地２は、当該張地２のみによって、いわゆる三次元的に隆起した形態を採り得るものとなっている。換言すれば、張地２は、その周端縁よりも内側の部位に対して他の部材による外力を加えられることなく三次元的に隆起した形態を採り得るものとなっている。つまり、張地２全体は側面視において張地２を支持する側座枠部１１の形状に追従して側面視においてＳ字状に起伏する形態をなしている。これに加えて、張地２における前後方向と左右方向の張力を相違させることにより、張地２の左右方向中央部分におけるＳ字状の起伏の程度は、それよりも側座枠部１１に近い位置におけるＳ字状の起伏の程度よりも緩やかに設定されている。
【００４８】
背凭れＦは、合成樹脂により形成された背板Ｌを備えたものである。
【００４９】
背板Ｌは、前面側に背凭れ面を形成した本体部Ｍと、この本体部Ｍから下方に突設された左右の延出部Ｎとを備えたものである。
【００５０】
本体部Ｍは、前後方向に貫通した複数の孔ｐが形成された背板本体３と、この背板本体３の左右に配設された上下に延びる縦背支持部４とを備えてなるものである。
【００５１】
背板本体３は略矩形状をなしている。背板本体３には前後方向に貫通した複数の孔ｐが設けられている。背板本体３に形成された複数の孔ｐは正面視において略矩形状をなしている。より具体的に言えば、複数の孔ｐは正面視において略正方形状をなしている。
【００５２】
なお、この明細書における「略正方形」には、四辺が外方または内方に凸をなすように若干湾曲してなるものを含むものとする。
【００５３】
背板本体３は、着座者の背中を支持し得る主要部を構成するものである。背板本体３は、上側に向かって漸次厚み寸法が短くなるように形成されている。背板本体３は、図２０に示すように、上下方向に隣接し合う孔ｐの間に、縦背支持部４間を繋ぎ左右方向に略直線状に延びた横帯部分３１を備えている。横帯部分３１は、背板本体３における上下端部３３、３４を除く略全域において上下方向に複数並び配されている。
【００５４】
なお、図２０において、横帯部分３１の把握の便宜のため、横帯部分３１に該当する領域上に直線状の一点鎖線を示している。
【００５５】
背板本体３は、図１９に示すように、左右方向に隣接し合う孔ｐの間に、当該背板本体３の上下端部３３、３４間を繋ぐように上下方向に略直線状に延びた縦帯部分３２を備えている。縦帯部分３２は、背板本体３における左右端部領域３ａにのみ左右方向に複数並び配されている。
【００５６】
なお、図２０において、縦帯部分３２の把握の便宜のため、縦帯部分３２に該当する領域上に直線状の一点鎖線を示している。
【００５７】
背板本体３の中央領域３ｂに設けられた孔ｐの幅寸法は、図１９に示すように、中央領域３ｂの外周域に位置する周縁領域３ｃに設けられた孔ｐの幅寸法よりも大きく設定されている。すなわち、背板本体３に設けられた孔ｐの大きさは、中央領域３ｂから周縁領域３ｃに向かって、漸次小さくなるように設定されている。
【００５８】
略同一高さ位置に左右方向に直線状に並び配された複数の孔ｐは、隣り合う孔ｐの中心点間の距離が周縁領域３ｃに向かうほど大きくなるように背板本体３に設けられている。換言すれば、左右方向に直線状に並び配された複数の孔ｐのピッチは、中央領域３ｂから周縁領域３ｃに向かうほど大きくなるように設定されている。左右方向に直線状に並び配された複数の孔ｐの中心点同士を結んでなる仮想線ｋｓは、正面視において上下方向に平行且つ略等間隔をなすように設定されている。
【００５９】
上下に最も近接して隣り合う一方の孔ｐと他方の孔ｐが、中心点が鉛直方向に一致しないように背板本体３に設けられている。
【００６０】
左右の縦背支持部４は、背板本体３を挟むように左右に配設されている。左右の縦背支持部４は背板本体３を支持し得る剛性を保持したものであり、前後方向に貫通する孔は設けられていない。左右の縦背支持部４の下端には、下方に向けて突出する左右の延出部Ｎが一体に設けられている。
【００６１】
左右の延出部Ｎは、内部に上下方向に穿設され外背支持フレーム部Ｊ及び内背支持フレーム部Ｋが収容される図示しない収容部を有した柱状の外観をなす延出部本体５と、延出部本体５の下端部から内方に突設された突出部６と、延出部本体５の下端部から前方に突設された鍔部７を備えてなる。
【００６２】
突出部６は、板状をなしており延出部本体５の下端部から後横架フレーム部Ｉにおける起立フレーム部分ｉ２の背面側に沿うように突設されている。すなわち、左右の突出部６は、突片状のものである。左右の突出部６は、その中央部に背凭れ用止着具であるねじｖ５が挿通し得る前後方向に貫通した止着具挿通孔たるねじ挿通孔６１が形成されている。
【００６３】
鍔部７は、側座受フレーム部ｇ４の後端部上に位置しているものである。鍔部７は、座Ｅの切欠部１３２を臨む側座枠部１１の後端部によって上側から被覆されるようになっている。つまり、鍔部７は、支持フレームＢと座Ｅとの間に挟まれ得る位置に配されている。
【００６４】
背板Ｌは、起立姿勢をなす外背支持フレーム部Ｊ、及び、起立姿勢をなす内背支持フレーム部Ｋに外嵌して支持フレームＢに支持されている。また、背板Ｌは、外背支持フレーム部Ｊ、及び、内背支持フレーム部Ｋから抜け出ないように、支持フレームＢを構成する左右方向に延びた後横架フレーム部Ｉに対してねじｖ５により止着されている。この実施形態では、ねじｖ５は、座Ｅの一部分である後座枠部１３によって隠蔽されており座面よりも上方から見た場合、すなわち、使用者が通常採り得る姿勢で見た場合に視認不可能となっている。椅子Ａは、斜め上方から視認されやすいものであり、外観の良さを向上させるためには後斜め上方からの外観を気にする必要がある。
【００６５】
以上説明したように、本実施形態に係る椅子Ａは、合成樹脂により形成された背板Ｌを備えてなる。そして、背板Ｌが、前後方向に貫通した複数の孔ｐが形成された背板本体３と、この背板本体３の左右に配設された上下に延びる縦背支持部４とを備えてなる。背板本体３が、上下方向に隣接し合う孔ｐの間に、縦背支持部４間を繋ぎ左右方向に略直線状に延びた横帯部分３１を備えており、背板本体３が、左右方向に隣接し合う孔ｐの間に、当該背板本体３の上下端部３３、３４間を繋ぐように上下方向に略直線状に延びた縦帯部分３２を備えている。そして、横帯部分３１が、背板本体３における上下端部３３、３４を除く略全域において上下方向に複数並び配されてなるものであり、且つ、縦帯部分３２が、背板本体３における左右端部領域３ａにのみ左右方向に複数並び配されてなるものである。このため、着座者の背中を好適に支持し得る背板Ｌを有した椅子Ａを提供することができるものとなる。
【００６６】
つまり、本実施形態における背板Ｌであれば、同一形状をなす複数の孔ｐを形成し、その孔ｐの大きさ及びその配列を調整することによって、弾性変形し得る構成を実現している。換言すれば、この実施形態の背板Ｌであれば、構造の複雑化が抑制された態様によって、着座者の背中を好適に支持し得る設計の自由度に優れたものとなっている。
【００６７】
背板本体３の中央領域３ｂに設けられた孔ｐの幅寸法が、中央領域３ｂの外周域に位置する周縁領域３ｃに設けられた孔ｐの幅寸法よりも大きく設定されている。このため、着座者の背中に直接的に添接しやすい中央領域３ｂの弾性変形性、及び、前後方向への通気性を好適に高めることができるものとなっている。
【００６８】
背板本体３に設けられた孔ｐの大きさが、中央領域３ｂから周縁領域３ｃ側に向かって、漸次小さくなるように設定されている。このため、着座者の背中に直接的に添接しやすい中央領域３ｂの弾性変形性、及び、前後方向への通気性を好適に高めることができるだけでなく、外観に優れた背板Ｌを提供し得るものとなっている。
【００６９】
略同一高さ位置に左右方向に直線状に並び配された複数の孔ｐが、隣り合う孔ｐの中心点間の距離が略等しくなるように背板本体３に設けられている。このため、孔ｐの配列が規則性を帯びたものとなり、外観に優れた背板Ｌを提供し得るものとなっている。
【００７０】
上下に最も近接して隣り合う一方の孔ｐと他方の孔ｐが、中心点が鉛直方向に一致しないように背板本体３に設けられている。このため、鉛直方向における孔ｐの配列が過度に単純なものとなっておらず、且つ、一定の規則性を帯びたものとなり、外観に優れた背板Ｌを提供し得るものとなっている。
【００７１】
背板本体３が、上側に向かって漸次厚み寸法が短くなるように形成されている。このため、背板Ｌは、上側に向かって弾性変形し易いものとなっているため、着座者の背中を好適に支持し得るものとなっている。
【００７２】
孔ｐが略矩形状をなしているため、外観に優れた背板Ｌを提供し得るものとなっている。
【００７３】
なお、本発明は、以上に詳述した実施形態に限られるものではない。
【００７４】
背凭れは、背板を備えたものであればよい。換言すれば、背凭れには、背板以外のものを備えていてもよい。例えば、背凭れは、背板とともに背板を覆うカバーを備えていてもよい。
【００７５】
孔の形状は種々の形状を設定することができるものであり、上述した実施形態に示したものに限定されるものではない。孔の形状は、例えば、円形や楕円形をなしているものであってもよい。
【００７６】
横帯部分の幅寸法や縦帯部分の幅寸法は適宜の寸法のものを採用することができるものであり、上述した実施形態に示したものに限定されるものではない。また、縦帯部分が配された左右端部領域の広さは適宜設定され得るものであることは言うまでもない。
【００７７】
その他、各部の具体的構成についても上記実施形態に限られるものではなく、本発明の趣旨を逸脱しない範囲で種々変形が可能である。
【符号の説明】
【００７８】
Ａ…椅子
Ｌ…背板
ｐ…孔
３…背板本体
４…縦背支持部
３１…横帯部分
３２…縦帯部分
３３…上端部
３４…下端部
【図１】
2019063177.tif 000003
【図２】
2019063177.tif 000004
【図３】
2019063177.tif 000005
【図４】
2019063177.tif 000006
【図５】
2019063177.tif 000007
【図６】
2019063177.tif 000008
【図７】
2019063177.tif 000009
【図８】
2019063177.tif 000010
【図９】
2019063177.tif 000011
【図１０】
2019063177.tif 000012
【図１１】
2019063177.tif 000013
【図１２】
2019063177.tif 000014
【図１３】
2019063177.tif 000015
【図１４】
2019063177.tif 000016
【図１５】
2019063177.tif 000017
【図１６】
2019063177.tif 000018
【図１７】
2019063177.tif 000019
【図１８】
2019063177.tif 000020
【図１９】
2019063177.tif 000021
【図２０】
2019063177.tif 000022